(57)【要約】【課題】ＰＣＭＣＩＡカードアダプタの提供。【解決手段】ＰＣカードケーシング、該ＰＣカードケーシングに連接可能で内部に収容空間が形成されたアダプタケーシング、該アダプタケーシングの一端面に配置されてＵＳＢコネクタ或いはＩＥＥＥ１３９４コネクタが挿入される複数のＵＳＢコネクタソケット或いはＩＥＥＥ１３９４コネクタソケット、該収容空間内に配置されて後端部にＰＣＭＣＩＡ連接インタフェースが設置され、該ＵＳＢコネクタソケット或いはＩＥＥＥ１３９４コネクタソケットが電気的に前端部に連接されてコネクタの電気信号をＰＣＭＣＩＡ連接インタフェースの電気信号に変換するアダプタ基板とを具え、ＰＣＭＣＩＡカードをＵＳＢアダプタ或いはＩＥＥＥ１３９４アダプタに変換する目的を達成する。【選択図】　　　　図２
0003097405.tif 000002
【実用新案登録請求の範囲】
【請求項１】
ＰＣＭＣＩＡカードアダプタにおいて、
ＰＣカード上ケーシングとＰＣカード下ケーシングで組成されたＰＣカードケーシングと、
アダプタ上ケーシングとアダプタ下ケーシングで組成されて該アダプタ上ケーシングが該ＰＣカード上ケーシングに連接され、該アダプタ下ケーシングが該ＰＣカード下ケーシングに連接され、該ＰＣカードケーシングの内部と共に内部に収容空間を形成するアダプタケーシングと、
アダプタケーシングの一端面に配置されてコネクタの挿入に供される複数のコネクタソケットと、
該収容空間中に配置され、後端部にＰＣＭＣＩＡ連接インタフェースが設置され、コネクタソケットが電気的に該アダプタ基板の前端部に連接され、コネクタの電気信号をＰＣＭＣＩＡ連接インタフェースの電気信号に変換するアダプタ基板と、
を具えたことを特徴とする、ＰＣＭＣＩＡカードアダプタ。
【請求項２】
請求項１記載のＰＣＭＣＩＡカードアダプタにおいて、直流電源端子の挿入に供される電源ソケットが、アダプタケーシングの一端面に配置されたことを特徴とする、ＰＣＭＣＩＡカードアダプタ。
【請求項３】
請求項１記載のＰＣＭＣＩＡカードアダプタにおいて、ＰＣカード上ケーシングの両側端部に内向きに凹レールが設けられ、スライド式に該ＰＣカード下ケーシングの両側端部に連接され、該ＰＣカード上ケーシング及びＰＣカード下ケーシングが接合されたことを特徴とする、ＰＣＭＣＩＡカードアダプタ。
【請求項４】
請求項１記載のＰＣＭＣＩＡカードアダプタにおいて、アダプタ上ケーシングの両側端面内側に少なくとも一つの係止溝が設けられ、該アダプタ下ケーシングの両側端面外側に少なくとも一つのフックが設けられ、該フックが該係止溝内に係合することにより、該アダプタ上ケーシングとアダプタ下ケーシングが接合されたことを特徴とする、ＰＣＭＣＩＡカードアダプタ。
【請求項５】
請求項１記載のＰＣＭＣＩＡカードアダプタにおいて、アダプタ上ケーシングの後側端部に外向きに延伸された少なくとも一つの係止片が設けられ、ＰＣカード上ケーシングの前端部に少なくとも一つの貫通孔が設けられ、該係止片が該貫通孔中に係合することにより、ＰＣカード上ケーシングとアダプタ上ケーシングが接合されたことを特徴とする、ＰＣＭＣＩＡカードアダプタ。
【請求項６】
請求項１記載のＰＣＭＣＩＡカードアダプタにおいて、コネクタソケットがＵＳＢ　Ａ型コネクタソケット、ＵＳＢ　Ｂ型コネクタソケット或いはＩＥＥＥ１３９４コネクタソケットの少なくとも一種類とされるか或いは全種類が設けられたことを特徴とする、ＰＣＭＣＩＡカードアダプタ。
【考案の詳細な説明】
【０００１】
【考案の属する技術分野】
本考案は一種のＰＣＭＣＩＡカードアダプタに係り、特に、ＰＣＭＣＩＡ（Ｐｅｒｓｏｎａｌ　Ｃｏｍｐｕｔｅｒ　Ｍｅｍｏｒｙ　Ｃａｒｄ　Ｉｎｔｅｒｎａｔｉｏｎａｌ　Ａｓｓｏｃｉａｔｉｏｎ）インタフェースカードを利用し、アダプタを形成し、ＵＳＢ或いはＩＥＥＥ１３９４のアダプタに変換し、コンピュータ周辺装置拡充連接に供される、ＰＣＭＣＩＡカードアダプタに関する。
【０００２】
【従来の技術】
コンピュータはその便利性と強大な機能により、現代人に不可欠の製品となっており、現在のコンピュータには多くの連接ポート、例えばＲＳ−２３２、ＰＣＭＣＩＡ、ＵＳＢ或いはＩＥＥＥ１３９４が設けられ、これにより更に多くのコンピュータ周辺装置、例えばスキャナ、プリンタ、ハードディスク或いはＣＤドライブを拡充連接できる。
【０００３】
周知の技術によると、ＰＣＭＣＩＡはコンピュータ及びコンピュータ周辺製品のインタフェースに応用され、一般にはＰＣＭＣＩＡインタフェースと称され、この標準に符合するＩＣカードは則ちＰＣＭＣＩＡカードであり、以下にＰＣカードと略称する。この標準に符合するスロットはＰＣＭＣＩＡスロットとされる。現在のノートブック型コンピュータのほとんどにはＰＣＭＣＩＡスロットが設置されてＰＣカードの挿入に供されている。ノートブック型コンピュータは体積が比較的小さいために周辺設備を外接しなければならず、ＰＣカードは最良の連接インタフェースとされ、使用者が重い周辺設備を携帯する面倒を免除する。現在市販されているＰＣカードの種類には、モデムカード、ネットワークカード、ハードディスクカード等がある。
【０００４】
このほかＵＳＢコネクタ及びＩＥＥＥ１３９４コネクタは高速でプラグアンドプレイの便利性を有することは周知であるが、同様にノートブック型コンピュータの体積に制限されるため、ＵＳＢ或いはＩＥＥＥ１３９４のアダプタが不足し、これによりいわゆる外接式拡充装置でＵＳＢ或いはＩＥＥＥ１３９４コネクタを拡充してハードディスク、ＣＤドライブ等のコンピュータ周辺装置を連接する。しかし、このような外接式拡充装置の体積は大きく、且つノートブック型コンピュータの有する移動の便利性及び全体の一致性の長所を損ない、且つその相容性も十分に保障されない。
【０００５】
【考案が解決しようとする課題】
本考案は、既存のコンピュータに使用される外接式拡充装置の有する不便と欠点を鑑み、一種のＰＣＭＣＩＡカードアダプタを提供する、それは、ＰＣＭＣＩＡのインタフェースカードを利用してＵＳＢ或いはＩＥＥＥ１３９４の拡充アダプタを形成し、該拡充アダプタにコンピュータと一体とされるモジュール化アダプタを形成させ、且つホットプラグアンドプレイの長所を具備させ、合理的で且つ上述の欠点を有効に改善できるものとする。
【０００６】
【課題を解決するための手段】
請求項１の考案は、ＰＣＭＣＩＡカードアダプタにおいて、
ＰＣカード上ケーシングとＰＣカード下ケーシングで組成されたＰＣカードケーシングと、
アダプタ上ケーシングとアダプタ下ケーシングで組成されて該アダプタ上ケーシングが該ＰＣカード上ケーシングに連接され、該アダプタ下ケーシングが該ＰＣカード下ケーシングに連接され、該ＰＣカードケーシングの内部と共に内部に収容空間を形成するアダプタケーシングと、
アダプタケーシングの一端面に配置されてコネクタの挿入に供される複数のコネクタソケットと、
該収容空間中に配置され、後端部にＰＣＭＣＩＡ連接インタフェースが設置され、コネクタソケットが電気的に該アダプタ基板の前端部に連接され、コネクタの電気信号をＰＣＭＣＩＡ連接インタフェースの電気信号に変換するアダプタ基板と、
を具えたことを特徴とする、ＰＣＭＣＩＡカードアダプタとしている。
請求項２の考案は、請求項１記載のＰＣＭＣＩＡカードアダプタにおいて、直流電源端子の挿入に供される電源ソケットが、アダプタケーシングの一端面に配置されたことを特徴とする、ＰＣＭＣＩＡカードアダプタとしている。
請求項３の考案は、請求項１記載のＰＣＭＣＩＡカードアダプタにおいて、ＰＣカード上ケーシングの両側端部に内向きに凹レールが設けられ、スライド式に該ＰＣカード下ケーシングの両側端部に連接され、該ＰＣカード上ケーシング及びＰＣカード下ケーシングが接合されたことを特徴とする、ＰＣＭＣＩＡカードアダプタとしている。
請求項４の考案は、請求項１記載のＰＣＭＣＩＡカードアダプタにおいて、アダプタ上ケーシングの両側端面内側に少なくとも一つの係止溝が設けられ、該アダプタ下ケーシングの両側端面外側に少なくとも一つのフックが設けられ、該フックが該係止溝内に係合することにより、該アダプタ上ケーシングとアダプタ下ケーシングが接合されたことを特徴とする、ＰＣＭＣＩＡカードアダプタとしている。
請求項５の考案は、請求項１記載のＰＣＭＣＩＡカードアダプタにおいて、アダプタ上ケーシングの後側端部に外向きに延伸された少なくとも一つの係止片が設けられ、ＰＣカード上ケーシングの前端部に少なくとも一つの貫通孔が設けられ、該係止片が該貫通孔中に係合することにより、ＰＣカード上ケーシングとアダプタ上ケーシングが接合されたことを特徴とする、ＰＣＭＣＩＡカードアダプタとしている。
請求項６の考案は、請求項１記載のＰＣＭＣＩＡカードアダプタにおいて、コネクタソケットがＵＳＢ　Ａ型コネクタソケット、ＵＳＢ　Ｂ型コネクタソケット或いはＩＥＥＥ１３９４コネクタソケットの少なくとも一種類とされるか或いは全種類が設けられたことを特徴とする、ＰＣＭＣＩＡカードアダプタとしている。
【０００７】
【考案の実施の形態】
本考案の主要な技術特徴は、ＰＣＭＣＩＡカードアダプタを提供することにあり、それは、ＰＣカード上ケーシングとＰＣカード下ケーシングで組成されたＰＣカードケーシング、アダプタ上ケーシングとアダプタ下ケーシングで組成されて該アダプタ上ケーシングが該ＰＣカード上ケーシングに連接可能で、該アダプタ下ケーシングが該ＰＣカード下ケーシングに連接可能で、該ＰＣカードケーシングの内部と共に収容空間を形成するアダプタケーシング、アダプタケーシングの一端面に配置されてＵＳＢ　Ａ型コネクタ、ＵＳＢ　Ｂ型コネクタ或いはＩＥＥＥ１３９４コネクタの挿入に供される複数のＵＳＢ　Ａ型コネクタソケット、ＵＳＢ　Ｂ型コネクタソケット或いはＩＥＥＥ１３９４コネクタソケット、該収容空間中に配置され、後端部にＰＣＭＣＩＡ連接インタフェースが設置され、ＵＳＢコネクタソケット或いはＩＥＥＥ１３９４コネクタソケットが電気的に該アダプタ基板の前端部に連接され、ＵＳＢコネクタ或いはＩＥＥＥ１３９４コネクタの電気信号をＰＣＭＣＩＡ連接インタフェースの電気信号に変換し、ＰＣカードを利用してＵＳＢコネクタ或いはＩＥＥＥ１３９４コネクタに変換する機能を達成するアダプタ基板と、を具えている。
【０００８】
本考案の次の技術特徴は、上述のＰＣＭＣＩＡカードアダプタを提供することにあり、そのうち、該ＰＣカード上ケーシングの両側端部に内向きに凹レールが設けられ、スライド式に該ＰＣカード下ケーシングの両側端部に連接され、該ＰＣカード上ケーシング及びＰＣカード下ケーシングが接合され、これによりＰＣカード上ケーシングとＰＣカード下ケーシングが簡単に連接される機能が達成される。
【０００９】
本考案の別の技術特徴は、上述のＰＣＭＣＩＡカードアダプタを提供することにあり、そのうち、該アダプタ上ケーシングの両側端面内側に少なくとも一つの係止溝が設けられ、該アダプタ下ケーシングの両側端面外側に少なくとも一つのフックが設けられ、該フックが該係止溝内に係合することにより、容易に該アダプタ上ケーシングとアダプタ下ケーシングの簡単な接合の機能が達成される。
【００１０】
本考案のまた別の技術特徴は、上述のＰＣＭＣＩＡカードアダプタを提供することにあり、そのうち、該アダプタ上ケーシングの後側端部に外向きに延伸された少なくとも一つの係止片が設けられ、該ＰＣカード上ケーシングの前端部に少なくとも一つの貫通孔が設けられ、該係止片が該貫通孔中に係合することにより、ＰＣカード上ケーシングとアダプタ上ケーシングを簡単な接合の機能が達成される。
【００１１】
本考案のさらにまた別の技術特徴は、上述のＰＣＭＣＩＡカードアダプタを提供することにあり、そのうち、該ＰＣＭＣＩＡ連接インタフェースがＰＣＭＣＩＡスロットにより電気的にアダプタ基板の後端に連接され、該ＰＣＭＣＩＡ連接インタフェースに弾性固定片が設けられ、ＰＣＭＣＩＡスロットを強固にＰＣＭＣＩＡアダプタに連接する機能を達成する。
【００１２】
【実施例】
図１は本考案のＰＣＭＣＩＡカードアダプタの外観図であり、図２は図１の分解斜視図である。本考案はノートブック型コンピュータのようなコンピュータに使用されるＰＣカードを、拡充可能なＵＳＢ　Ａ型、ＵＳＢ　Ｂ型或いはＩＥＥＥ１３９４コネクタ２０に形成し、並びにコンピュータのＰＣＭＣＩＡアダプタ中に挿入できるようにし、それをノートブック型コンピュータと結合して一体となし、全体が一致する外観を形成し、該アダプタ２０にコンピュータ周辺装置を連接できるようにし、これにより本考案に無限の拡充性を具備させている。
【００１３】
本考案のアダプタ２０はＰＣカードケーシング２１、アダプタケーシング２２及びアダプタ基板２３で組成され、該ＰＣカードケーシング２１の外形はＰＣＭＣＩＡカードと同じであり、ＰＣカード上ケーシング２１１とＰＣカード下ケーシング２１２で組成され、ＰＣカード上ケーシング２１１とＰＣカード下ケーシング２１２が相互に連結されて一体とされ、その内部に空間を形成し、該空間にアダプタ基板２３が収容され、該ＰＣカード上ケーシング２１１の両側端部に内向きの凹レール２１１１が設けられ、スライド式に該ＰＣカード下ケーシング２１２の両側端部に連接されて、該ＰＣカード上ケーシング２１１とＰＣカード下ケーシング２１２が接合され、図３に示されるようであり、図３は図１のＡ−Ａ’断面図である。
【００１４】
該アダプタケーシング２２もまたアダプタ上ケーシング２２１とアダプタ下ケーシング２２２で組成され、該アダプタ上ケーシング２２１と該アダプタ下ケーシング２２２が相互に連結されてアダプタケーシングが形成され、該アダプタ上ケーシング２２１の両側端面内側に少なくとも一つの係止溝２２１１が設けられ、該アダプタケーシングの両側端面外側に少なくとも一つのフック２２２１が設けられ、該フック２２２１が該係止溝２２１１内に係合し、これによりアダプタ上ケーシング２２１とアダプタ下ケーシング２２２が接合され、これは図４に示されるようであり、図４は図１のＢ−Ｂ’断面図である。
【００１５】
該アダプタ上ケーシング２２１はＰＣカード上ケーシング２１１に連接され、該アダプタ下ケーシング２２２はＰＣカード下ケーシング２１２に連接され、且つアダプタケーシング２２内部にも空間２２３が形成されてＰＣカードケーシング２１の空間２１３と連通して一つの収容空間を形成し、該アダプタ基板２３を収容する。
【００１６】
図５はアダプタ上ケーシング２２１とＰＣカード上ケーシング２１１の連接前の局部拡大図であり、図６は連接後の局部拡大図である。該アダプタ上ケーシング２２１の後側端部に外向きに二組の係止片２２１２が延伸され、該ＰＣカード上ケーシング２１１の前端部に二つの貫通孔２１１２が設けられ、該係止片２２１２が該貫通孔２１１２に係合し、これにより該ＰＣカード上ケーシング２１１とアダプタ上ケーシング２２１が接合される。該アダプタ下ケーシング２２２の後側端部はＰＣカード下ケーシング２１２の前側端部に連接され、これによりアダプタ下ケーシング２２２とＰＣカード下ケーシング２１２が接合されて一体とされる。
【００１７】
さらに図２を参照されたい。アダプタ基板２３の後端部にＰＣＭＣＩＡ連接インタフェース２３１が設置され、該ＰＣＭＣＩＡ連接インタフェース２３１はＰＣＭＣＩＡ連接スロット２３１１により電気的にアダプタ基板２３に連接され、該ＰＣＭＣＩＡ連接インタフェース２３１に弾性固定片２３１２が設けられて、ＰＣＭＣＩＡ連接インタフェース２３１が強固にＰＣＭＣＩＡアダプタに連接される。
【００１８】
該アダプタ基板２３の前端に二組のＵＳＢ　Ａ型コネクタソケット２４、一組のＩＥＥＥ１３９４コネクタソケット２５、一組のＵＳＢ　Ｂ型コネクタソケット２６及び一組の電源ソケット２７が設けられている。該ＵＳＢ　Ａ型コネクタソケット２４、該ＩＥＥＥ１３９４コネクタソケット２５及び該ＵＳＢ　Ｂ型コネクタソケット２６はアダプタケーシング２２の前端面に配置されてＵＳＢ　Ａ型コネクタ、ＩＥＥＥ１３９４コネクタ、ＵＳＢ　Ｂ型コネクタの挿入に供される。
【００１９】
該電源ソケット２７はアダプタケーシング２２の右側端面に配置されて、直流電源端子の挿入に供される。該アダプタ基板２３はＵＳＢ　Ａ型コネクタソケット２４、ＩＥＥＥ１３９４コネクタソケット２５或いはＵＳＢ　Ｂ型コネクタソケット２６の電気信号をＰＣＭＣＩＡ連接インタフェース２３１の電気信号に変換する。
【００２０】
【考案の効果】
本考案は以上に記載の技術により、周知のものとは異なる設計を提供し、全体の使用価値を高め、またその構造はその出願前に頒布された刊行物に記載がなく、また公開使用されておらず、実用新案登録の要件を具備している。なお、以上の実施例は本考案の実施範囲を限定するものではなく、本考案に基づきなしうる細部の修飾或いは改変は、いずれも本考案の請求範囲に属するものとする。
【図面の簡単な説明】
【図１】本考案のＰＣＭＣＩＡカードアダプタの斜視図である。
【図２】図１の分解斜視図である。
【図３】図１のＡ−Ａ’断面図である。
【図４】図１のＢ−Ｂ’断面図である。
【図５】本考案のアダプタ上ケーシングとＰＣカード上ケーシングの連接前の局部拡大図である。
【図６】本考案のアダプタ上ケーシングとＰＣカード上ケーシングの連接後の局部拡大図である。
【符号の説明】
２０　アダプタ
２１　ＰＣカードケーシング
２１１　ＰＣカード上ケーシング
２１２　ＰＣカード下ケーシング
２１３　空間
２２　アダプタケーシング
２２１　アダプタ上ケーシング
２２１１　係止溝
２２１２　係止片
２２２　アダプタ下ケーシング
２２２１　フック
２２３　空間
２３　アダプタ基板
２３１　ＰＣＭＣＩＡ連接インタフェース
２３１１　ＰＣＭＣＩＡ連接スロット
２３１２　弾性固定片
２４　ＵＳＢ　Ａ型コネクタソケット
２５　ＩＥＥＥ１３９４コネクタソケット
２６　ＵＳＢ　Ｂ型コネクタソケット
２７　電源ソケット
【図１】
0003097405.tif 000003
【図２】
0003097405.tif 000004
【図３】
0003097405.tif 000005
【図４】
0003097405.tif 000006
【図５】
0003097405.tif 000007
【図６】
0003097405.tif 000008